(57)【要約】      （修正有）【課題】年齢認証が必要なサイトの場合は、年齢条件を満たしているユーザにのみサイトへのアクセスを許可する、情報提供システム及びプログラムを提供する。【解決手段】情報提供システムは、商品に添付された情報媒体から取得した第１のアドレス情報を用いたユーザ端末からのアクセスを受け、第１のアドレス情報に対応する第２のアドレス情報を特定する。第２のアドレス情報で特定されるサイトへのアクセスがユーザの年齢によって制限されているか否かを判定し、制限されていない場合には、ユーザ端末に第２のアドレス情報を通知する。制限されている場合であって、ユーザが会員登録されている場合には、ユーザ端末に第２のアドレス情報を通知する。制限されている場合であって、ユーザが会員登録されていない場合には、ユーザが年齢の条件を満たしている場合にのみ会員登録を受け付け、ユーザ端末に第２のアドレス情報を通知する。【選択図】図３
2018124838.tif 000002
【特許請求の範囲】
【請求項１】
ユーザ端末からの特定のサイトへのアクセスを制御する情報提供システムであって、
商品に添付された情報媒体から取得した、第１のアドレス情報を用いた前記ユーザ端末からのアクセスを受け、前記第１のアドレス情報に対応する第２のアドレス情報を特定する、サイト特定部と、
前記第２のアドレス情報で特定されるサイトへのアクセスがユーザの年齢によって制限されているか否かを判定する、年齢認証要否判定部と、
前記サイトへのアクセスが年齢によって制限されていない場合には、前記ユーザ端末に前記第２のアドレス情報を通知し、前記サイトへのアクセスが年齢によって制限されている場合であって、前記ユーザが会員登録されている場合には、前記ユーザ端末に前記第２のアドレス情報を通知する、アクセス情報通知部と、
前記サイトへのアクセスが年齢によって制限されている場合であって、前記ユーザが会員登録されていない場合には、前記ユーザが年齢の条件を満たしている場合にのみ会員登録を受け付ける、会員登録処理部と、を備え、
前記アクセス情報通知部は、前記会員登録が受け付けられた場合には、前記ユーザ端末に前記第２のアドレス情報を通知する、情報提供システム。
【請求項２】
前記会員登録処理部は、
前記ユーザ端末を介して前記ユーザの本人確認用書類の画像を取得し、前記免許証に記載された生年月日の情報に基づいて、前記ユーザによって入力された年齢が条件を満たしている場合にのみ前記会員登録を受け付ける、請求項１に記載の情報提供システム。
【請求項３】
前記商品はライターであり、
前記情報媒体はＮＦＣチップである、請求項１または２に記載の情報提供システム。
【請求項４】
ユーザ端末からの特定のサイトへのアクセスを制御するコンピュータを、
商品に添付された情報媒体から取得した、第１のアドレス情報を用いた前記ユーザ端末からのアクセスを受け、前記第１のアドレス情報に対応する第２のアドレス情報を特定する、サイト特定部と、
前記第２のアドレス情報で特定されるサイトへのアクセスがユーザの年齢によって制限されているか否かを判定する、年齢認証要否判定部と、
前記サイトへのアクセスが年齢によって制限されていない場合には、前記ユーザ端末に前記第２のアドレス情報を通知し、前記サイトへのアクセスが年齢によって制限されている場合であって、前記ユーザが会員登録されている場合には、前記ユーザ端末に前記第２のアドレス情報を通知する、アクセス情報通知部と、
前記サイトへのアクセスが年齢によって制限されている場合であって、前記ユーザが会員登録されていない場合には、前記ユーザが年齢の条件を満たしている場合にのみ会員登録を受け付ける、会員登録処理部と、して機能させ、
前記アクセス情報通知部は、前記会員登録が受け付けられた場合には、前記ユーザ端末に前記第２のアドレス情報を通知する、プログラム。
【発明の詳細な説明】
【技術分野】
【０００１】
本発明は、情報提供システムおよびプログラムに関する。
【背景技術】
【０００２】
近年、インターネットを利用した販売促進の方法として、キャンペーンサイトが利用されている。例えば特許文献１には、所定の条件を満たしたユーザがキャンペーンサイトへアクセスすると、特典を受けられるシステムについて開示されている。
【先行技術文献】
【特許文献】
【０００３】
【特許文献１】特開２００９−１６３５５０号公報
【発明の概要】
【発明が解決しようとする課題】
【０００４】
しかし、例えば煙草に関連したキャンペーンサイトのように、アクセスするユーザに年齢制限を設ける必要がある場合、特許文献１に記載されたシステムでは、ユーザの年齢確認などを行うことができなかった。
【０００５】
そこで本発明の目的は、年齢認証が必要なサイトの場合には、年齢条件を満たしているユーザにのみサイトへのアクセスを許可できるようにすることである。
【課題を解決するための手段】
【０００６】
本発明に係る情報提供システムは、ユーザ端末からの特定のサイトへのアクセスを制御する情報提供システムであって、商品に添付された情報媒体から取得した、第１のアドレス情報を用いた前記ユーザ端末からのアクセスを受け、前記第１のアドレス情報に対応する第２のアドレス情報を特定する、サイト特定部と、前記第２のアドレス情報で特定されるサイトへのアクセスがユーザの年齢によって制限されているか否かを判定する、年齢認証要否判定部と、前記サイトへのアクセスが年齢によって制限されていない場合には、前記ユーザ端末に前記第２のアドレス情報を通知し、前記サイトへのアクセスが年齢によって制限されている場合であって、前記ユーザが会員登録されている場合には、前記ユーザ端末に前記第２のアドレス情報を通知する、アクセス情報通知部と、前記サイトへのアクセスが年齢によって制限されている場合であって、前記ユーザが会員登録されていない場合には、前記ユーザが年齢の条件を満たしている場合にのみ会員登録を受け付ける、会員登録処理部と、を備え、前記アクセス情報通知部は、前記会員登録が受け付けられた場合には、前記ユーザ端末に前記第２のアドレス情報を通知するものである。
【０００７】
本発明に係るプログラムは、ユーザ端末からの特定のサイトへのアクセスを制御するコンピュータを、商品に添付された情報媒体から取得した、第１のアドレス情報を用いた前記ユーザ端末からのアクセスを受け、前記第１のアドレス情報に対応する第２のアドレス情報を特定する、サイト特定部と、前記第２のアドレス情報で特定されるサイトへのアクセスがユーザの年齢によって制限されているか否かを判定する、年齢認証要否判定部と、前記サイトへのアクセスが年齢によって制限されていない場合には、前記ユーザ端末に前記第２のアドレス情報を通知し、前記サイトへのアクセスが年齢によって制限されている場合であって、前記ユーザが会員登録されている場合には、前記ユーザ端末に前記第２のアドレス情報を通知する、アクセス情報通知部と、前記サイトへのアクセスが年齢によって制限されている場合であって、前記ユーザが会員登録されていない場合には、前記ユーザが年齢の条件を満たしている場合にのみ会員登録を受け付ける、会員登録処理部と、して機能させ、前記アクセス情報通知部は、前記会員登録が受け付けられた場合には、前記ユーザ端末に前記第２のアドレス情報を通知するものである。
【発明の効果】
【０００８】
本発明によれば、年齢認証が必要なサイトの場合には、年齢条件を満たしているユーザにのみサイトへのアクセスを許可することができる。
【図面の簡単な説明】
【０００９】
【図１】本発明の実施の形態による、情報提供システム１の構成を示すブロック図。
【図２】本発明の実施の形態による、情報提供サーバ１０の構成を示すブロック図。
【図３】本発明の実施の形態による、情報提供システム１の動作のシーケンス図。
【図４】本発明の実施の形態による、情報提供システム１の動作のシーケンス図。
【図５】本発明の実施の形態による、ユーザ端末に表示される画面の例を示す図。
【図６】本発明の実施の形態による、ユーザ端末に表示される画面の例を示す図。
【図７】本発明の実施の形態による、ユーザ端末に表示される画面の例を示す図。
【発明を実施するための形態】
【００１０】
次に、本発明を実施するための形態について、図面を参照して詳細に説明する。
図１は、本発明の実施の形態による情報提供システム１の構成を示すブロック図である。図１に示すように、情報提供システム１は、情報提供サーバ１０、顧客サーバ２０、ユーザ端末３０、ライター（商品）４０を備えている。情報提供サーバ１０、顧客サーバ２０、及びユーザ端末３０は、通信ネットワークＮを介して接続されている。通信ネットワークＮは、例えば、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等のいずれであってもよく、有線であるか無線であるかを問わない。
【００１１】
本実施形態では、ライターを販売する顧客が、ライターを購入したユーザに対して提供するキャンペーンサイトへのアクセスを年齢（例えば、たばこの喫煙が禁止される年齢）に応じて制御する場合を例に説明する。なお、この例に限らず、本発明は、年齢制限がある様々なキャンペーンサイトへのアクセス制御に適用できる。
【００１２】
情報提供サーバ１０は、ユーザ端末３０から顧客が提供するキャンペーンサイトへのアクセスを制御する機能を有するサーバである。情報提供サーバ１０は、汎用的なコンピュータであり、１台のコンピュータで構成されていてもよいし、通信ネットワークＮ上に分散する複数のコンピュータから構成されてもよい。
【００１３】
顧客サーバ２０は、顧客がキャンペーンサイトを提供するためのＷＥＢサーバである。顧客サーバ２０は、汎用的なコンピュータであり、１台のコンピュータで構成されていてもよいし、通信ネットワークＮ上に分散する複数のコンピュータから構成されてもよい。なお、図１の例では、１つの顧客サーバ２０のみを図示しているが、複数の顧客の顧客サーバ２０が情報提供サーバ１０と接続されていてもよい。
【００１４】
ユーザ端末３０は、パーソナルコンピュータ（ＰＣ）、ノートＰＣ、タブレット端末、スマートフォン、携帯電話機、携帯情報端末（ＰＤＡ）など、通信ネットワークＮを介して情報提供サーバ１０及び顧客サーバ２０とデータの授受が可能なあらゆる端末装置を利用することができる。ユーザ端末３０は、プロセッサ、キーボードやマウス、各種操作ボタンやタッチパネルなどの入力装置、液晶ディスプレイなどの表示装置、カメラ、通信ネットワークＮに接続するための通信インタフェース、ディスクドライブまたは半導体メモリ（ＲＯＭ、ＲＡＭなど）などの記憶資源を備えている。
【００１５】
ライター４０の本体の表面には、ＮＦＣ（Near field radio communication）チップ（情報媒体）４１が添付されており、後述するように、ユーザがユーザ端末３０をＮＦＣチップ４１に近づけることにより、無線通信によって所定のＵＲＬ（Uniform Resource Locator）が取得され、ユーザ端末３０は、取得したＵＲＬを用いて情報提供サーバ１０にアクセスする。
【００１６】
図２は、情報提供サーバ１０の構成を示すブロック図である。
図２に示すように、情報提供サーバ１０は、制御装置１１と、外部記憶装置１２を備えている。制御装置１１は、ハードウェアとして、ＣＰＵ、ＲＯＭやＲＡＭ等のメモリ、入力インタフェース、出力インタフェース、通信インタフェース及びこれらを結ぶバス等を備えている。制御装置１１は、ＣＰＵがＲＯＭ等に格納されたプログラムを実行することにより各種機能を実現する。制御装置１１によって実現される機能モジュールには、サイト特定部１１１、年齢認証要否判定部１１２、アクセス情報通知部１１３、会員登録判定部１１４、会員登録処理部１１５が含まれる。
【００１７】
外部記憶装置１２は、ハードディスクドライブ等であり、サイト情報記憶部１２１、会員情報記憶部１２２を実装している。
【００１８】
サイト情報記憶部１２１には、ユーザ端末３０が情報提供サーバ１０へのアクセスに用いるＵＲＬに対応した、顧客サーバ２０によって提供されるキャンペーンサイトのＵＲＬの情報が保持されている。また、各キャンペーンサイトが年齢認証の必要なサイトであるか否かの情報も保持している。さらに、年齢認証の必要なサイトである場合には、年齢の条件の情報が保持されている。例えば、１レコードには、アクセスＵＲＬ（第１のアドレス情報）「ＵＲＬ＿１」、キャンペーンサイトのＵＲＬ（第２のアドレス情報）「ＵＲＬ＿２」、キャンペーンサイトの年齢認証要否「要」、年齢の条件「２０歳以上」等の情報が含まれる。なお、キャンペーンサイトのＵＲＬは、適宜変更することができる。
【００１９】
会員情報記憶部１２２には、会員ＩＤと、会員の属性情報（氏名、住所、年齢等）が保持されている。なお、会員登録は、キャンペーンサイトへアクセスできる年齢の条件を満たしている場合にのみ受け付けられる。したがって、会員登録されているユーザは、すべて年齢条件を満たしていることになる。
【００２０】
次に、情報提供システム１の動作について図３，４のシーケンス図を用いて説明する。
まず、ユーザがユーザ端末３０をライター４０に添付されたＮＦＣチップ４１に近づけることにより、ＲＦ通信を介して情報提供サーバ１０へのアクセス用ＵＲＬ（例えば、ＵＲＬ＿１）が取得され、ユーザ端末３０は、ＵＲＬ＿１を用いて情報提供サーバ１０にアクセスする（ステップＳ１１）。
【００２１】
次に、情報提供サーバ１０は、アクセスに用いられたＵＲＬ＿１に基づいて、対応するキャンペーンサイトを提供する顧客サーバ２０を特定する（ステップＳ１２）。具体的には、サイト特定部１１１において、サイト情報記憶部１２１を参照し、ＵＲＬ＿１に紐づけられたキャンペーンサイトのＵＲＬ（ＵＲＬ＿２）を取得する。
【００２２】
次に、情報提供サーバ１０は、年齢認証要否判定部１１２においてサイト情報記憶部１２１を参照し、特定された顧客サーバ２０の提供するキャンペーンサイトが、年齢認証の必要なサイトであるか否かを判定する（ステップＳ１３）。
【００２３】
ステップＳ１３で、年齢認証の不要なサイトである（ＮＯ）と判定された場合には、情報提供サーバ１０は、アクセス情報通知部１１３においてユーザ端末３０にキャンペーンサイトのＵＲＬ（ＵＲＬ＿２）を通知する（ステップＳ１８）。
【００２４】
ユーザ端末３０は、キャンペーンサイトのＵＲＬ（ＵＲＬ＿２）を取得すると、ＵＲＬ＿２にリダイレクトし、キャンペーンサイトにアクセスする（ステップＳ１９）。
【００２５】
ステップＳ１３で、年齢認証の必要なサイトである（ＹＥＳ）と判定された場合には、情報提供サーバ１０は、会員登録判定部１１４において、ユーザ端末３０の表示装置に、会員ＩＤ入力画面を表示させる（ステップＳ１４）。
【００２６】
ユーザ端末３０において、ユーザが入力装置を介して入力した会員ＩＤが取得されると（ステップＳ１５）、情報提供サーバ１０は、会員登録判定部１１４において、会員情報記憶部１２２を参照し、入力された会員ＩＤが登録済か否かを判断する（ステップＳ１６）。
【００２７】
ステップＳ１６で登録済と判定された場合（ＹＥＳ）、情報提供サーバ１０は、アクセス情報通知部１１３においてユーザ端末３０にキャンペーンサイトのＵＲＬ（ＵＲＬ＿２）を通知する（ステップＳ１８）。ユーザ端末３０は、キャンペーンサイトのＵＲＬ（ＵＲＬ＿２）を取得すると、ＵＲＬ＿２にリダイレクトし、キャンペーンサイトにアクセスする（ステップＳ１９）。
【００２８】
ステップＳ１６で未登録と判定された場合（ＮＯ）、情報提供サーバ１０は、会員登録判定部１１４において、図５に示すような、入力された会員ＩＤが未登録または誤入力であることを知らせるメッセージと、新規の会員登録を行うことを選択するボタンＢ１をユーザ端末３０の表示装置に表示させる（ステップＳ１７）。
【００２９】
ユーザの操作によって新規の会員登録が選択された場合には（図４：ステップＳ２０）、情報提供サーバ１０は、会員登録処理部１１５において、図６に示すような、会員登録画面をユーザ端末３０の表示装置に表示させる（ステップＳ２１）。図６に示すように、会員登録画面には、会員登録に必要な事項（氏名、住所、年齢等）を入力させる入力フォーマットが表示される。さらに、会員登録画面には、免許証（本人確認用書類）の画像をユーザ端末３０のカメラを用いて取り込むように促すメッセージが表示される。
【００３０】
会員登録処理部１１５は、ユーザ端末３０のカメラを介して免許証の画像が取り込まれたことを検出すると（ステップＳ２２：ＹＥＳ）、免許証に記載された生年月日の情報を読み取る（ステップＳ２３）。情報の読み取りは、既存の文字認識技術を用いて実現することができる。
【００３１】
次に、会員登録処理部１１５は、免許証に記載された生年月日の情報に基づいて、ユーザが入力した年齢の情報を照合する（ステップＳ２４）。具体的には、生年月日の情報から算出される現在の年齢と、ユーザの入力した年齢が一致するか否かを判断する。なお、ユーザが入力した年齢が条件を満たさない場合（例えば、２０歳未満）には、照合を行わずに、年齢が条件を満たしていないため、会員登録が行えない旨を通知するメッセージを表示させるようにしてもよい。
【００３２】
ユーザの入力した年齢が条件を満たしており、かつ免許証に記載された生年月日の情報との照合が出来た場合には（ステップＳ２５：ＹＥＳ）、会員登録処理部１１５は、図７に示すように、新たな会員ＩＤを発行してユーザ端末３０の表示装置に表示すると共に、キャンペーンサイトへアクセスするか否かを選択するボタンＢ２を表示する（ステップＳ２６）。
【００３３】
ユーザの操作によってキャンペーンサイトへのアクセスが選択された場合には（ステップＳ２７）、アクセス情報通知部１１３においてユーザ端末３０にキャンペーンサイトのＵＲＬ（ＵＲＬ＿２）を通知する（ステップＳ２８）。ユーザ端末３０は、キャンペーンサイトのＵＲＬ（ＵＲＬ＿２）を取得すると、ＵＲＬ＿２にリダイレクトし、キャンペーンサイトにアクセスする（ステップＳ２９）。
【００３４】
一方、ユーザの年齢の照合が出来ない場合（ステップＳ２５：ＮＯ）には、会員登録が行えない旨を通知するメッセージを表示する（ステップＳ３０）。
【００３５】
以上のように、本実施形態によれば、ライター４０に添付されたＮＦＣチップ４１から取得したＵＲＬを用いてユーザ端末３００が情報提供サーバ１０にアクセスすると、情報提供サーバ１０は、アクセスに用いられたＵＲＬに対応するキャンペーンサイトを特定する。さらに、そのキャンペーンサイトへのアクセスに年齢制限がある場合には、ユーザが会員登録されている場合にのみキャンペーンサイトのＵＲＬを通知するようにした。さらに、会員登録されていない場合には、年齢制限を満たしている場合にのみ会員登録できるようにして、会員登録後、あらためてキャンペーンサイトのＵＲＬを通知するようにした。このように、本実施形態によれば、年齢認証が必要なサイトについては、結果的に年齢条件を満たしているユーザにのみ、サイトへのアクセスを許可するように制御することができる。また、会員登録を行っていれば、その都度年齢認証を行うことなくアクセスを許可することができる。
【００３６】
なお、キャンペーンサイトのＵＲＬが変更された場合には、サイト情報記憶部１２１に保持されたキャンペーンサイトのＵＲＬを更新するだけで、アクセスＵＲＬを変えなくても（すなわち、ＮＦＣチップ４１に登録されている情報を変えなくても）対応することができる。
【００３７】
また、年齢認証が不要なキャンペーンサイトについては、全てのユーザにキャンペーンサイトのＵＲＬを通知するので、ユーザはあえて会員登録を行わなくてもアクセスすることができる。
【００３８】
また、会員登録の際には、免許証に記載された生年月日の情報を用いて年齢の照合を行うようにしたので、ユーザが年齢条件を満たしているか否かを正確に判断することができる。
【００３９】
なお、本実施形態では、免許証を利用して年齢の照合を行っているが、免許証以外にも生年月日を確認できるもの（保険証等）を利用できるようにしてもよい。
【００４０】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。
【符号の説明】
【００４１】
１…情報提供システム
１０…情報提供サーバ
１１…制御装置
１２…外部記憶装置
２０…顧客サーバ
３０…ユーザ端末
４０…ライター
４１…ＮＦＣチップ
１１１…サイト特定部
１１２…年齢認証要否判定部
１１３…アクセス情報通知部
１１４…会員登録判定部
１１５…会員登録処理部
１２１…サイト情報記憶部
１２２…会員情報記憶部
【図１】
2018124838.tif 000003
【図２】
2018124838.tif 000004
【図３】
2018124838.tif 000005
【図４】
2018124838.tif 000006
【図５】
2018124838.tif 000007
【図６】
2018124838.tif 000008
【図７】
2018124838.tif 000009